(57)【要約】【課題】消臭性の効果が十分ではなく、消臭効果を保持できる時間が未だ十分ではなく、香りの点を改善する。【解決手段】靴の中敷１は、ネロリ油を有効成分とする組成物２をシート状素材３で封入した消臭剤４と、消臭剤４を内部に封入し、消臭剤４の近傍に複数個の空気穴５を設けた中敷シート６と、を備え、組成物２はネロリ油で吸水性樹脂を被覆して精油被覆樹脂とし、前記精油被覆樹脂を炭素微粉末で被覆した炭素被覆粒子を含有する。【選択図】図２
2019181055.tif 000002
【特許請求の範囲】
【請求項１】
ネロリ油を有効成分とする組成物をシート状素材で封入した消臭剤と、該消臭剤を内部に封入し、該消臭剤の近傍に複数個の空気穴を設けた中敷シートと、を備える靴の中敷。
【請求項２】
前記ネロリ油で吸水性樹脂を被覆して精油被覆樹脂とし、前記精油被覆樹脂を炭素微粉末で被覆した炭素被覆粒子を含有することを特徴とする、請求項１に記載の靴の中敷。
【請求項３】
前記消臭剤が、ネロリ油と、精油吸着材と、遊離水分除去剤と、精油脱着調節剤と、発熱剤と、熱伝導防止剤と、吸収促進剤と、シート形成用基剤と、圧着用シートとを含む靴の中敷。
【請求項４】
前記精油吸着材は、ケン化価が９８．０〜９８．５のポリビニルアルコール系吸水性樹脂であることを特徴とする、請求項３に記載の靴の中敷。
【請求項５】
前記遊離水分除去剤は、アクリル系吸水性樹脂であることを特徴とする、請求項３又は４に記載の靴の中敷。
【請求項６】
前記アクリル系吸水樹脂は、吸水容量が乾燥樹脂体積の４００〜８００倍の範囲にあるものであることを特徴とする、請求項５に記載の靴の中敷。
【請求項７】
前記精油脱着調節剤は、表面積が２００〜８００ｍ２／ｇの多孔性炭素物質であることを特徴とする、請求項３〜６のいずれかに記載の靴の中敷。
【請求項８】
前記発熱剤は、孔径が０．１〜０．８ｎｍのゼオライトであることを特徴とする、請求項３〜７のいずれかに記載の靴の中敷。
【請求項９】
前記熱伝導防止剤は、多糖類化合物であることを特徴とする、請求項３〜８のいずれかに記載の靴の中敷。
【請求項１０】
前記吸収促進剤は、モノテルペン化合物であることを特徴とする、請求項３〜９のいずれかに記載の靴の中敷。
【請求項１１】
前記モノテルペン化合物は、L−メントール又はリモネンであることを特徴とする、請求項１０に記載の靴の中敷。
【請求項１２】
前記シート形成用基剤は、ケン化価が約８８．０である熱可塑性樹脂であることを特徴とする、請求項３〜１１のいずれかに記載の靴の中敷。
【発明の詳細な説明】
【技術分野】
【０００１】
この発明は、消臭、脱臭などの防臭機能により靴の不快臭を防ぐことが可能な靴の中敷に関するものである。
【背景技術】
【０００２】
一般に、つま先や甲が覆われた靴は、長時間履きつづけると内部で足が蒸れたり、靴の内側（裏打布）が湿ったり汚れたりし、雑菌が繁殖したりしやすくて、不快臭も生じやすいため、これを防止するための工夫が種々なされている。
【０００３】
防臭または消臭効果を効果的に発揮できるとともに、履き心地を向上でき、しかも安価に製造できる靴中敷を提供するため、平板状に形成された薄厚の本体部分１０と、本体部分１０の底面１１から下方へ膨出した膨出部分２０とから構成される。本体部分１０と膨出部分２０とは、セラミック粉体を混入されたシリコン樹脂により一体成形され、膨出部分２０の頂部２１は各足指の第１関節Ｊ１と第２関節Ｊ２の間近傍に位置するように形成されることが知られている（特許文献１）。
【０００４】
履物類、帽子類、手袋類、あるいは各種の防具やサポーター類などに用いられる、肌に直接、あるいは薄布を介して長時間触れる素材として好適に使用できる、従来の消臭性シートに比べて実用上優れた消臭性を有する消臭性多層シートおよびこの消臭性多層シートを用いた履物の中敷を提供することを課題として、０．１〜１０μｍ径の極細繊維が５〜５０００本収束した極細繊維束を１０〜１００質量％含む繊維質シート（Ａ）、木炭を主成分とする消臭性微粉末をバインダー樹脂で担持した消臭層（Ｂ）および繊維集合体または多孔質樹脂からなるベースシート（Ｃ）が順次積層一体化されてなる消臭性多層シート、およびこの消臭性多層シートを用いた履物の中敷が知られている（特許文献２）。
【０００５】
靴内部の吸湿と消臭を目的として、吸着体と不織布とハーブを積層し、その積層体を不織布で被覆し、片面に粘着テープを張り付けた構造が知られている（特許文献３）。
【０００６】
靴内の換気効率がよく、耐久性に優れ、補修が容易で、香料や脱臭材などの消耗品の交換等のメンテナンスが簡易で消費者が使いやすい防臭靴が知られている（特許文献４）。
【先行技術文献】
【特許文献】
【０００７】
【特許文献１】特開2006-254号公報
【特許文献２】特開2006-15597号公報
【特許文献３】特開平9-19307号公報
【発明の概要】
【発明が解決しようとする課題】
【０００８】
しかし、上記した従来の靴の消臭性シートでは、消臭性の効果が十分ではなく、消臭効果を保持できる時間が未だ十分ではなく、香りの点でも改善すべき点がある。
【０００９】
そこで、この発明の課題は、上記した問題点を解決して、消臭効果を高めるとともに長持ちさせ、芳香効果を得ることである。
【課題を解決するための手段】
【００１０】
本発明の発明者らは、以上のような状況の下で、ネロリ油を低い濃度であっても消臭効果が発揮されることを見出し、本発明を完成したものである。
【００１１】
すなわち、本発明は、ネロリ油を有効成分とする組成物をシート状素材で封入した消臭剤と、該消臭剤を内部に封入し、該消臭剤の近傍において、複数個の空気穴を設けた中敷シートと、を備える靴の中敷である。
【００１２】
前記ネロリ油で吸水性樹脂を被覆して精油被覆樹脂とし、前記精油被覆樹脂を炭素微粉末で被覆した炭素被覆粒子を含有することが好ましい。
【００１３】
前記消臭剤が、ネロリ油と、精油吸着材と、遊離水分除去剤と、精油脱着調節剤と、発熱剤と、熱伝導防止剤と、吸収促進剤と、シート形成用基剤と、前記圧着用シートとを含むことが好ましい。このような構成の経皮吸収製剤とすることによって、消臭成分を含有するネロリ油を徐放させることが可能となる。また、このような構成とすることによって、脱臭効果のある靴の中敷を製造することが可能となる。
【００１４】
前記精油吸着材は、ケン化価が９８．０〜９８．５のポリビニルアルコール系吸水性樹脂であることを特徴とすることが好ましい。
【００１５】
前記遊離水分除去剤は、アクリル系吸水性樹脂であることを特徴とすることが好ましい。
【００１６】
前記アクリル系吸水樹脂は、吸水容量が乾燥樹脂体積の４００〜８００倍の範囲にあることが好ましい。
【００１７】
前記精油脱着調節剤は、表面積が２００〜８００ｍ２／ｇの多孔性炭素物質であることを特徴とすることが好ましい。
【００１８】
前記発熱剤は、孔径が０．１〜０．８ｎｍのゼオライトであることが好ましい。
【００１９】
前記熱伝導防止剤は、多糖類化合物であることを特徴とすることが好ましい。
【００２０】
前記吸収促進剤は、モノテルペン化合物であることが好ましい。
【００２１】
前記モノテルペン化合物は、L−メントール又はリモネンであることが好ましい。
【００２２】
前記シート形成用基剤は、ケン化価が約８８．０である熱可塑性樹脂であることが好ましい。
【００２３】
ネロリ油を有効成分とする靴の中敷であるので、植物由来の精油を有効成分として含有とし、靴の中敷に好適である。
【００２４】
後述するダイダイからは、ダイダイの花を水蒸気蒸留することによって芳香性の高い精油（ネロリ油）を得ることができる。ここで、前記消臭用組成物は、前記ネロリ油で親水性樹脂を被覆して精油被覆樹脂とし、前記精油被覆樹脂を炭素微粉末で被覆した炭素被覆粒子を含有することが好ましい。
【００２５】
本発明は、ネロリ油を所定量秤量し、精油吸着材と混合して前記精油吸着材の表面にネロリ油によって表面膜を形成させる精油被膜形成工程と、精油被膜が形成された後に、多孔性炭素物質を加えて精油膜の表面を覆い、炭素被覆粒子を形成する炭素被覆粒子形成工程と、所定量の炭素被覆粒子と、発熱剤と、熱伝導防止剤とを均一に混合し、シート形成用基剤上に均一な厚みの層を形成させ、加熱して消臭用組成物を形成する消臭用組成物形成工程と、消臭用組成物を所定の大きさに切断し、該消臭用組成物を２枚の圧着シートで挟み、前記圧着シートの四辺を熱圧着して消臭剤を形成する熱圧着工程と、中敷シートの先端領域の所定範囲に複数個の空気穴を空け、２枚の中敷シートで挟んで、消臭剤の近傍に前記空気穴を配置して封入し、２枚の中敷シートの周囲を接着する中敷シート形成工程と、を備えることを特徴とする、靴の中敷の製造方法である。
【００２６】
この方法を使用することによって、精油吸着材の表面に吸着されて表面膜を形成したネロリ油は炭素粒子によって被覆され、これらの炭素被覆粒子は、さらに、圧着シートで覆われる。このような構成とすることによって、消臭成分を含有するネロリ油が皮膚と直接接触することがなく、また、長時間にわたってネロリ油の放散が継続される、消臭剤を製造することができる。
【００２７】
以上説明したように、本発明の靴の中敷は、消臭効果を発揮させることができ、安全性が高く使用することが可能である。
【００２８】
また、本発明の靴の中敷の製造方法によれば、簡便に、靴の中敷を製造することができる。特に、炭素被覆粒子として、精油の脱着剤を用いることにより、徐放化効果が高い。
【００２９】
さらに、本発明の靴の中敷の製造方法によれば、炭素被覆粒子の含有量を変化させることによって、所望量の薬効成分を含有する靴の中敷を製造することができ、こうして製造した消臭組成物を用いて、所望量の消臭成分を含有する靴の中敷を製造することができる。
【００３０】
以上により、靴内の空気は防臭剤による消臭、脱臭などの防臭作用を受けるから、靴の不快臭を防ぐことができる。
【発明の効果】
【００３１】
この発明は、以上説明したように、消臭効果を高めるとともに長持ちさせ、芳香効果を得ることができる効果がある。
【図面の簡単な説明】
【００３２】
【図１】本発明の一実施形態の靴の中敷の平面図である。
【図２】本発明の一実施形態の靴の中敷の内部を示す斜視図である。
【図３】本発明の一実施形態の靴の中敷の消臭剤の平面図である。
【図４】本発明の一実施形態の靴の中敷の消臭剤の断面図である。
【図５】本発明の他の実施形態の靴の中敷の消臭剤の断面図である。
【発明を実施するための形態】
【００３３】
以下に、本発明の実施形態をさらに詳細に説明する。靴の中敷１は、図１〜図４に示す通り、ネロリ油を有効成分とする組成物２をシート状素材３に封入した消臭剤４と、消臭剤４を内部に封入し、消臭剤４の近傍において、複数個の空気穴５を設けた中敷シート６と、を備えるである。
【００３４】
消臭剤４の厚みは０．１〜２．０ｍｍ、平面積は１００〜２５００ｍｍ２が好ましい。
【００３５】
組成物２はネロリ油で吸水性樹脂を被覆して精油被覆樹脂とし、精油被覆樹脂を炭素微粉末で被覆した炭素被覆粒子を含有する。
【００３６】
組成物２が、ネロリ油と、精油吸着材と、遊離水分除去剤と、精油脱着調節剤と、発熱剤と、熱伝導防止剤と、吸収促進剤と、シート形成用基剤と、を含み、圧着用シートで被覆される。このような構成によって、消臭成分を含有するネロリ油を徐放させることが可能となる。また、このような構成とすることによって、脱臭効果のある靴の中敷１を製造することが可能となる。
【００３７】
組成物２において使用するネロリ油は、フランス、イタリア、スペイン、モロッコ及びアルジェリアなどを主産地とするダイダイ（CitrusaurantiamL.subsp.amaraEngel）の花を水蒸気蒸留して得ることができる。ダイダイの花からの収油率は、約０．１％である。また、溶剤抽出により、橙花コンクリートを得ることができ、これをアルコール処理すると約５０％のアブソリュートが得られる。成分としては、１−リナロールと酢酸リナリルを合わせて約３５〜４０％、α−テルピネオール、ゲラニオール、酢酸ゲラニル、ネロリドール（数％）、その他α−ピネン、ジペンテン、カンフェン、オシメンなどのテルペン類、及び含窒素化合物としてアンスラニル酸メチル、及びインドールなどを含む。また、コンクリートには、精油、ジャスモン、ベンツアルデヒドなどが存在する。
【００３８】
組成物２で使用するネロリ油は、ｌ−リナロールと酢酸リナリル（合計約３５〜４０％）、α−テルピネオール、ゲラニオール、酢酸ゲラニル及びネロリドール（各々数％）、α−ピネン、ジペンテン、カンフェン、オシメン等その他のテルペン類、アンスラニル酸メチル、インドールその他の含窒素化合物等を含有する。
【００３９】
上記のネロリ油は、小川香料（株）等の香料メーカーから市販されているものを使用することもできる。
【００４０】
ｌ−メントール（５−メチル−２−（１−メチルエチル）シクロヘキサノール）は、通常、メントール（ハッカ脳）といわれるものである。化学的には１２種類の異性体があるが、ハッカ特有の冷涼な香味を有しているものは、天然及び合成のｌ−メントールである。ｌ−メントールは、無色柱状又は針状の結晶で、エタノールには可溶であるが、水には難溶である。室温で徐々に昇華する。
【００４１】
天然物を得るには、ハッカ油を冷却し、析出する結晶を遠心分離してハッカ脳を得る。合成品は、シトロネラ油を分留して得られるｄ−シトロネラールをｌ−イソプレゴールとし、水素添加して得ることができる。また、ピネンから得られるミルセンを原料とし、特殊は触媒によって光学活性はシトロネラールを製造し、光学分割を行うことなくメントールを不斉合成する方法や、チモールに水素添加して得られるメントール混合物から、光学分割によっても得ることができる。
【００４２】
リモネンは（ｐ−メンタ−１，８−ジエン）は、メンタンから誘導されるモノテルペンで、レモン様の香気を有する。ｄ−リモネンは、ダイダイ、レモン、オレンジ等の果皮を水蒸気蒸留して得ることができる。ｌ−リモネンはハッカ油を、また、ｄｌ−リモネンは、ショウノウ油をそれぞれ分留して得ることができる。
【００４３】
組成物２において使用する精油吸着材とは、上述したネロリ油の吸着担体となるものをいい、ケン化価が９８．０〜９８．５のポリビニルアルコール（ＰＶＡ）系親水性樹脂であることが好ましい。ケン化価が９８.０未満では担体表面がゲル化し、吸着担体としての機能を失うが、ケン化価が９８.０〜９８.５であればゲル化せずに安定した吸着担体としての機能を維持できることによる。
【００４４】
具体的には、信越ポバールＣ−１７ＧＰやポバール(Ａ)（信越化学工業（株）製）などを挙げることができ、信越ポバールＣ−１７ＧＰ又はポバール(Ａ)を使用することが好ましい。
【００４５】
組成物２において使用する遊離水分除去剤とは、適用した部位の皮膚表面に存在する水分を除去するものをいい、アクリル系親水性樹脂であることが好ましい。こうしたアクリル系親水性樹脂は吸水能の高いものが多く、また、後述する消臭用組成物製造の際に熱をかけたときに接着性がよいことによる。
【００４６】
こうしたアクリル系吸水樹脂は、適用部位に製剤を適用している間に、適用部位の皮膚表面で生じる水分を十分に吸収できるものであればよく、その吸水容量は、乾燥樹脂体積の４００〜８００倍にあるものが好ましい。４００倍未満では、吸水しきれない場合があり、８００倍を越える吸水能は必要でないことによる。具体的には、サンフレッシュ（三洋化成工業（株））やアクアキープ（登録商標、住友精化（株）製）などを挙げることができる。球状粒子であるアクアキープよりも、破砕状のサンフレッシュの方が接着性は良いことから、サンフレッシュを使用することが好ましい。
【００４７】
組成物２において使用する精油脱着調節剤とは、上述した各精油を吸着して表面に膜が形成された精油吸着材の表面を覆い、吸着された精油組成物の脱着を調節する多孔性炭素物質をいう。具体的には、種々の分子を吸着する各種の活性炭を挙げることができる。表面積が２００〜１，０００ｍ２／ｇの活性炭を使用すると、活性炭に吸着される精油量が少なくなり脱着がされやすいことから好ましく、４００〜８００ｍ２／ｇのものを使用することがさらに好ましい。
【００４８】
この範囲の表面積を有する活性炭であれば、各種の市販品を使用することができ、具体的には、白鷺Ｐ（武田薬品工業（株））などを挙げることができる。吸着面積が小さいこと、及びコストの面から、白鷺Ｐを使用することが好ましい。
【００４９】
組成物２において使用する発熱剤は、空気中の水分を吸着して吸着熱を出す物質をいう。このときに発生する熱エネルギーを利用して、吸着担体に吸着された精油組成物の脱着が行われる。具体的には、ゼオライトを挙げることができる。
【００５０】
こうしたゼオライトとしては、金属を含まない人工ゼオライトであって、孔径が０．１〜０．８ｎｍのものを用いることが精油の脱着能のためのエネルギーを供給する上で好ましく、０．３〜０．４ｎｍのものを用いることがさらに好ましい。このような孔径のゼオライトであれば市販品を使用することができ、具体的には、ゼオラム（東ソー（株））等を挙げることができる。
【００５１】
組成物２において使用する前記熱伝導防止剤とは、上記の遊離水分吸着剤に吸着された遊離水分によって急激に発生する熱の伝導を防止することができる化合物をいう。具体的には、多糖類化合物、例えば、キトサン、セルロースその他の多糖類化合物を挙げることができる。
【００５２】
キトサンを使用すると、製剤中に色素を含有する場合には、キトサンをこうした色素の担体とすることができるという利点がある。キトサンに代えて、上述のような熱の伝導を防止するために、セルロース等を使用することもできる。
【００５３】
組成物２において使用する吸収促進剤とは、この製剤中の精油の吸収を促進するように作用するモノテルペン化合物をいう。具体的には、L−メントール、リモネン等を挙げることができ、市販品を使用してもよい。これらのうち、L−メントールを使用すると、皮膚表面に存在する残存遊離水分を気化させて除き、皮膚を乾燥させて精油が吸収されやすい環境がつくられるという利点がある。
【００５４】
組成物２において使用するシート形成用基剤とは、上記の組成物２をシート状にする基剤となるものをいい、ケン化価が約８８．０である熱可塑性樹脂であることが好ましい。本実施形態の靴の中敷は、熱をかけてシート状に形成する必要がある。このとき、上述した炭素被覆粒子からネロリ油を必要以上に放散させることなく、約１８０℃程度の低温で樹脂間の隙間を塞ぐことなく接着するシートを形成できるものを使用することが好ましい。
【００５５】
具体的には、ゴーセランＬ−０３０１（登録商標、日本合成化学（株））などを使用することが、約１８０℃前後という低温における接着性が良いことから好ましい。
【００５６】
組成物２は、上記の精油と、上記の精油吸着材と、遊離水分除去剤と、精油脱着調節剤と、発熱剤と、熱伝導防止剤と、吸収促進剤と、シート形成用基剤とを以下のように混合して製造することができる。以下に、製造方法について説明する。
【００５７】
まず、各精油をそれぞれ所定量ずつ秤量する。ついで秤量した各精油をそれぞれＰＶＡと混合し、ＰＶＡの表面に各精油によって表面膜を形成させる。ここに、所定量の上述した活性炭を加えて精油膜の表面を覆う。したがって、３種類の精油を使用する場合には、３種類の炭素被覆粒子Ａ〜Ｃが形成されることになる。ついで、メントールを秤量する。
【００５８】
これらの炭素被覆粒子とメントールとを混合し、さらに上記の熱伝導防止剤、シート形成用基剤等と混合、攪拌して、均一な混合物とする。ついで、この混合物を圧着用シートの上にのせ、さらに別の圧着用シートをその上に載せ、熱をかけてシート状の組成物２を製造する。
【００５９】
ついで、圧着用シートで上記の混合物を挟み、熱をかけて圧着する。圧着は、約１６０〜２００℃で行うことが好ましく、約１８０℃で行うことがさらに好ましい。この範囲の温度で熱圧着を行うと、シート形成用基剤である樹脂間の隙間が残った状態となるので、炭素被覆粒子から放散される精油の分子はこうした隙間を通って適用部位から経皮吸収される。一方、約２３０℃以上という高温で接着すると、樹脂が溶融して樹脂間の隙間が塞がれてしまうため、上述の精油の分子は組成物２の外へ放散されなくなるためである。
【００６０】
圧着用シートとしては、化繊紙（坪量１８〜２０ｇ）を使用することが好ましく、化繊紙を使用すると上述した炭素被覆粒子の圧着率がよいという利点がある。
【００６１】
この圧着用シートを、例えば、適当な大きさに裁断した不織布等の２枚のシート状素材３ではさみ、これらシート状素材の４辺をヒートシールし、消臭剤４を製造する。
【００６２】
シート状素材３は、紙、織布及び不織布からなる群から選ばれるものであることが好ましく、上記の靴の中敷に含まれる精油成分が気体分子として放散され、シート形成基剤粒子の隙間を通ってきたときに、これらが透過しやすいものである点で、不織布であることがさらに好ましい。以上のようにして、本実施形態の靴の中敷を製造することができる。
【実施例】
【００６３】
以下に、本発明を実施例に従って具体的に説明するが、本発明はこれらの実施例に何ら限定されるものではない。
【００６４】
（実施例１）
（１）組成物２は以下を使用した。
（１−１）精油
ネロリ油、Ｌ−メントール、レモン油、オレンジ油、シネオール系ユーカリ油、及びローズマリー油は小川香料（株）より購入した。
【００６５】
（１−２）その他
ＰＶＡとしては、信越ポバールＣ−１７ＧＰを信越化学（株）より、また、ゴーセランＬ−３０３１を日本合成化学（株）よりそれぞれ購入した。アクリル系吸水樹脂としてサンフレッシュ（登録商標）を三洋化成工業（株）より購入した。活性炭として白鷺Ｐを武田薬品工業（株）より、また、ゼオライトとしてゼオラム（登録商標）を東ソー（株）から購入した。キトサンとしてはコーヨーキトサンを甲陽ケミカル（株）よりそれぞれ購入した。
【００６６】
シート状素材３の化繊紙は、日本板紙大昭和（株）より購入し、不織布は日清紡（株）よりそれぞれ購入した。
【００６７】
（実施例２）組成物２の製造
（２−１）炭素被覆粒子の製造
炭素被覆粒子は、下記表１に示す処方に従って調製した。なお、本発明の靴の中敷の製造に当たっては、表１に示した使用量で調整した各炭素被覆粒子１．１ｇが１ピース当たりに含まれるように調製した。
【００６８】
【表１】
2019181055.tif 000003
【００６９】
ネロリ油を上記表１に示す量で秤量し、５００ｍＬの透明のガラス密閉容器中において、ＰＶＡ（信越ポバールＣ−１７ＧＰ）と室温で混合して、ＰＶＡの表面をネロリ油で被覆し、精油被覆粒子を形成させた。次いで、この容器中に上記表１に示す量の活性炭を加えて混合し、炭素被覆粒子を形成させた。調製した炭素被覆粒子は、気密性の高い容器、例えば、蓋のついたすり付きガラス容器に入れて室温で保存した。
【００７０】
（２−２）組成物２の製造
上記（２−１）で調製した５種類の炭素被覆粒子を、表２に示す量の基剤と混合して組成物２を製造した。
【００７１】
【表２】
2019181055.tif 000004
【００７２】
これらの基剤成分と、上記炭素被覆粒子とを以下のようにして混合した。まず、サンフレッシュ（三洋化成工業（株）製）、ゼオラム（ゼオライト、東ソー（株）製）、L-メントール（小川香料（株）製）、甲陽キトサン（甲陽ケミカル（株）製）をこの順番で１種類ずつ混合して攪拌し、基剤を調製した。
ついで、上記（２−１）で調製した炭素被覆粒子１〜５を、表２に示す量で秤量し、上記の基剤と混合し、さらに表２に示す甲陽キトサン、白鷺Ｐ及びゴーセランと混合した。なお、後述する熱圧着の際の精油のロス率は１５％として計算している。
【００７３】
ここで、上記の基剤と主剤となる炭素被覆粒子との混合物を圧着用シートの上に均一の厚さになるように広げ、その上にさらに別の圧着用シートのせた。これを熱圧着し、シート状の組成物２を得た。このシート状の組成物２を、例えば、適当な大きさに裁断し、同様に適当な大きさに裁断した不織布等のシート状素材３によってはさみ、このシート状素材３の４辺をヒートシールし、本発明の消臭剤４とした
【００７４】
【表３】
2019181055.tif 000005
【００７５】
表３は、本実施形態の靴の中敷１の設置場所に比較実験である。
【００７６】
靴の中敷１を靴に入れて、１２時間使用し、その後８時間放置した。靴下を利用し、靴下に移った匂いを直接かいで、効果を判定した。
【００７７】
表３において、消臭官能試験により評価した。結果は、〇十分な消臭性を発揮する、△消臭性が不十分である、×消臭効果がほとんど発生しない、のいずれであるかにより、評価した。
【００７８】
上記試験結果により、消臭剤４を靴のつま先に用いると、消臭性が良好であることがわかる。
【００７９】
前述の実施形態は、全面の中敷きであるが、図５に示す通り、つま先だけの形状のものである。部品番号は２００番台として図示し、前述の説明を援用する。
【００８０】
本発明は、上述の実施の形態に限定されるものではなく、本発明の技術的思想を逸脱しない範囲において、改変等を加えることが出来るものであり、それらの改変、均等物等も本発明の技術的範囲に含まれる。
【符号の説明】
【００８１】
１・・・靴の中敷
２・・・組成物
３・・・シート状素材
４・・・消臭剤
５・・・空気穴
６・・・中敷シート
【図１】
2019181055.tif 000006
【図２】
2019181055.tif 000007
【図３】
2019181055.tif 000008
【図４】
2019181055.tif 000009
【図５】
2019181055.tif 000010